(57)【要約】【課題】      ドラグの微調節が可能な状態で調節ツマミの連れ回りを防止した魚釣用リ−ルを提供することである。【解決手段】  ドラグ調節ツマミ８のツマミ操作部８ａの外周の後側でドラグ調節ツマミ８と椀状のクリック係合子ホルダ−からなる押圧部材５の間に環状弾性シ−ル部材２０が挾み込まれている。  スプ−ル軸からなる支持部材１の外側のスプ−ル支持部材３の筒部３ｆの先端外周と、椀状のクリック係合子ホルダ−からなる押圧部材５の中心透孔５ｃの間にＯリングからなる弾性部材７が嵌合されて押圧部材５とドラグ調節ツマミ８の回動に適度の抵抗力が与えられている。【選択図】        図２
2005137240.tif 000002
【特許請求の範囲】
【請求項１】
リ−ル本体に支持された支持部材とスプ−ルとの間で作用するドラグ機構をスプ−ルに形成された収容部内に備えると共に、前記支持部材上に前記ドラグ機構の摩擦力を調節する調節ツマミを備え、前記スプ−ルと前記調節ツマミとの間に弾性シ−ル部材を介在させた魚釣用リ−ルにおいて、前記調節ツマミと支持部材との間に弾性部材を介在させたことを特徴とする魚釣用リ−ル。
【発明の詳細な説明】
【技術分野】
【０００１】
本発明は、スプ−ル内に収容した制動部材に対する防水、防塵の向上を図ったリ−ルの釣糸の繰出し方向へのスプ−ルの回転時に弾性シ−ル部材の摩擦力で調節ツマミが連れ回りする魚釣用リ−ルの改良に関する。
【背景技術】
【０００２】
従来、魚釣用リ−ルには釣糸を巻回保持するスプ−ルがスプ−ル軸からなる支持部材を介して支持されており、このスプ−ルに制動力を付与しながらの釣糸繰出し方向への回転を許容するべく、ドラグ機構が設けられている構成は公知である。
前記ドラグ機構は複数の摩擦板で構成され、ドラグ機構に設けられた調節ツマミにて摩擦力を調節可能としたものが一般的である。
しかし前記の如く摩擦板で構成されたドラグ機構は、粉塵や水分が浸入すると摩擦板（ライニング材）の摩擦係数が変化してしまい、必要とする耐力が出せない。
或はスティックスリップと呼ばれる脈動が生じ、スム−スなドラグ作動が困難となる不具合を生じる。
前記不具合を改善するべくドラグ調節ツマミとスプ−ルとの間に弾性シ−ル部材を介在させて、スプ−ルに形成されたドラグ収容部内に粉塵や水分の浸入を阻止する構成は、特許文献１及び特許文献２、またそれ以外にも公知の技術として数多く存在している。
【特許文献１】特開平１１−１９６７２９号公報
【特許文献２】特開２００１−２６９０９９号公報
【０００３】
しかし、前記特許文献１及び特許文献２等の公知技術の構成は、何れも弾性シ−ト部材を調節ツマミとスプ−ルとの間に介在させているので、釣糸の繰出し方向へのスプ−ルの回転時に弾性シ−ル部材の摩擦力で調節ツマミが連れ回りをしてしまう不具合が生じる。
特に防水性能を向上させようとする場合、回転部材とシ−ル部材との揺動端部の接触圧を上げるか、或は摺動端部を薄肉状に形成することで接触面積を大きく取って効果を向上させる構成とすることが一般的であるが、この場合、接触抵抗が大きくなり、連れ回りの不具合の発生率が高くなる。
前記不具合を解消する為にはドラグ調節ツマミの弛緩防止用クリックの弾発力を上げて対応する必要があるが、弾発力を上げる場合クリック爪と爪車の凹凸部の破損を防ぐ為に前記凹凸部を大きく形成する必要がある。
しかし凹凸部を大きく形成すると調節ツマミの節度が粗くなり、ドラグの微調節が困難となる不具合があり改善が望まれている。
【発明の開示】
【発明が解決しようとする課題】
【０００４】
解決しようとする問題点は、釣糸の繰出し方向へのスプ−ルの回転時に弾性シ−ル部材の摩擦力で調節ツマミが連れ回りされ、調節ツマミの連れ回りを防止するために爪車の凹凸部を大きくすると調節ツマミの節度が粗くなり、ドラグの微調節が困難となることである。
【０００５】
本発明の目的は前記欠点に鑑み、ドラグの微調節が可能な状態で調節ツマミの連れ回りを防止した魚釣用リ−ルを提供することである。
【課題を解決するための手段】
【０００６】
本発明の請求項１は、リ−ル本体に支持された支持部材とスプ−ルとの間で作用するドラグ機構をスプ−ルに形成された収容部内に備えると共に、前記支持部材上に前記ドラグ機構の摩擦力を調節する調節ツマミを備え、前記スプ−ルと前記調節ツマミとの間に弾性シ−ル部材を介在させた魚釣用リ−ルにおいて、前記調節ツマミと支持部材との間に弾性部材を介在させたことを要旨とするものである。
【発明の効果】
【０００７】
本発明によれば、ドラグ機構内部への粉塵や水分の浸入を阻止する弾性シ−ル部材をスプ−ルの開口収容部とドラグ調節ツマミとの間に介在させたリ−ルにおける、ドラグ調節ツマミとスプ−ル軸からなる支持部材との間に介在された弾性部材が適度の抵抗力をドラグ調節ツマミに与えるので、ドラグ作動によるスプ−ル回転時に、弾性シ−ル部材の摩擦抵抗によるドラグ調節ツマミの連れ回りを防ぐことが出来る。
【発明を実施するための最良の形態】
【０００８】
制動部材Ａを収容するスプ−ル２の開口収容部２ｃより前側の凹部からなる開口部２ｅに取り付けられたナット部材６の、スプ−ル２の最前方部分に該当する凹部からなる開口部６ｄの縁部内周面と、ドラグ調節ツマミ８のツマミ操作部８ａの外周の後側でドラグ調節ツマミ８と椀状のクリック係合子ホルダ−からなる押圧部材５の間に挾み込まれた環状弾性シ−ル部材２０が摺接されるので、簡単な構造で水や砂等の制動部材Ａへの浸入が防止でき、効果的な防水が図れる。
且つ、スプ−ル軸からなる支持部材１の外側のスプ−ル支持部材３の筒部３ｆの先端外周と、椀状のクリック係合子ホルダ−からなる押圧部材５の中心透孔５ｃの間にＯリングからなる弾性部材７が嵌合されているので、押圧部材５とドラグ調節ツマミ８の回動に適度の抵抗力を与えるから、釣糸が繰出される時にスプ−ル２が釣糸繰出し方向に回転されようとして環状弾性シ−ル部材２０の摩擦抵抗によるドラグ調節ツマミ８の連れ回りがＯリングからなる弾性部材７で防止される。
【実施例１】
【０００９】
以下、図示の実施例によって本発明を説明すると、図１から図４は第１実施例で魚釣用リ−ルを魚釣用スピニングリ−ルで述べれば、図１は魚釣用スピニングリ−ルのスプ−ルとスプ−ル軸からなる支持部材の要部断面平面図、図２はスプ−ル軸からなる支持部材とスプ−ル支持部材とドラグ調節ツマミと弾性シ−ル部材とクリック機構構成部品の拡大断面側面図、図３は押圧部材の拡大平面図、図４はクリック係合子の拡大平面図である。
【００１０】
魚釣用スピニングリ−ルは、図示しないリ−ル本体に回動不能に支持されて前側に突出されたスプ−ル軸からなる支持部材１の先端にスプ−ル２が取り付けられている。
スプ−ル軸からなる支持部材１は太径部１ａの先端側に段部で太径部１ａより小径の小径部１ｂが形成され、先端にネジ部１ｃが形成されている。
小径部１ｂには軸方向と直交する透孔１ｄが穿設されている。
小径部１ｂ外周には筒状のスプ−ル支持部材３が嵌合されている。
【００１１】
スプ−ル２は、内側軸筒部２ａと、内側軸筒部２ａより大径の筒部２ｂと、内側軸筒部２ａの前側の凹部からなる制動部材Ａの開口収容部２ｃと、開口収容部２ｃの周面に形成された複数条の軸方向の縦溝２ｄと、開口収容部２ｃより前側の凹部からなる開口部２ｅと、開口部２ｅの周面に形成されたネジ部２ｆと、大径の筒部２ｂ内周に形成されたクリック凹凸歯２ｇと、釣糸が巻回される外周の釣糸巻回胴部２ｈと、前側の鍔部２ｉと、後側の大径の筒部２ｊとで形成されている。
【００１２】
凹部からなる開口収容部２ｃには複数の摩擦板と複数の制動板とで構成されたドラグ機構の制動部材Ａが収容され、凹部からなる開口部２ｅにはＯリングからなる弾性シ−ル部材１４と、皿状のラチェットリング４と、椀状のクリック係合子ホルダ−からなる押圧部材５が収容される。
スプ−ル２の前側鍔部２ｉの前側には段部２ｋが形成されて硬質のリング状の鍔部１５が段部２ｋに嵌められるように鍔部２ｉに重ねられてナット部材６で取り付けられている。
【００１３】
スプ−ル支持部材３は筒部３ａの後端に２段の鍔部３ｂ、３ｃが形成され、鍔部３ｃの前側に周溝３ｄが形成されている。
鍔部３ｃの前側の筒部３ａ外周に摩擦板１６が嵌合されている。
スプ−ル支持部材３は筒部３ｆに軸方向と直交する透孔３ｇが穿設されている。
透孔３ｇと透孔１ｄには係合ピン１７が挿脱自在に挿入される。
スプ−ル支持部材３の筒部３ａの周溝３ｄにＯリングからなる弾性シ−ル部材１８が嵌合されている。
【００１４】
スプ−ル支持部材３の筒部３ｆの外周には軸受１９が嵌合されている。
と軸受１９の外周にはスプ−ル２の内側軸筒部２ａが嵌合され、スプ−ル２の内側軸筒部２ａより前側の筒部３ｆ外周には制動部材Ａの摩擦板１１と制動板１２と摩擦板１１と制動板１３と摩擦板１１と制動板１２と摩擦板１１と皿状のラチェットリング４と椀状のクリック係合子ホルダ−からなる押圧部材５が嵌合されている。
押圧部材５の中心透孔内と前側の筒部３ｆ外周にはＯリングからなる弾性部材７が嵌合されて押圧部材５の回動に制動が掛けられてドラグ調節ツマミ８の連れ回りが防止されるように構成されている。
【００１５】
制動板の外周の突起は縦溝２ｄでスプ−ル２に回り止めされている。
制動板の中心透孔と皿状のラチェットリング４の中心透孔４ａはスプ−ル支持部材３の筒部３ｆ外周に回り止め嵌合されている。
係合ピン１７が挿脱自在に挿入されたスプ−ル軸からなる支持部材１の透孔１ｄとスプ−ル支持部材３の透孔３ｇは、軸受１９で閉塞されている。
皿状のラチェットリング４は底面中心に中心透孔４ａが、外周壁４ｂの内周にクリック凹凸歯４ｃが形成されて内側底面を４ｄとする。
【００１６】
椀状のクリック係合子ホルダ−からなる押圧部材５は図１から図３のように、内側の底面５ａと、底面５ａの外側の押圧面５ｂと、底面５ａの中心透孔５ｃと、外周壁５ｄと、外周壁５ｄに穿設された透孔５ｅ、５ｆと回り止め用切欠き５ｇ、５ｇとで形成されている。
椀状のクリック係合子ホルダ−からなる押圧部材５はドラグ調節ツマミ８に取り付けられ、ドラグ調節ツマミ８と椀状のクリック係合子ホルダ−からなる押圧部材５の間に環状弾性シ−ル部材２０が挾み込まれている。
ドラグ調節ツマミ８はドラグ調節ツマミ８の内側に回り止め嵌合されたナット体２１のナット部２１ａがスプ−ル軸からなる支持部材１の先端のネジ部１ｃに螺合されることでスプ−ル軸からなる支持部材１に取り付けられている。
【００１７】
椀状のクリック係合子ホルダ−からなる押圧部材５の中にはクリック係合子９が取り付けられている。
クリック係合子９は図４のように円弧部９ａと、円弧部９ａが開放された係止部９ｂ、９ｂと、並行な摺動案内部分９ｃ、９ｃと山形傾斜部分９ｄで形成されている。
椀状のクリック係合子ホルダ−からなる押圧部材５の外周壁５ｄ内にクリック係合子９が挿入されて透孔５ｅの中に摺動案内部分９ｃ、９ｃと山形傾斜部分９ｄが挿入され、透孔５ｆ内の両縁に係止部９ｂ、９ｂが係止される。
山形傾斜部分９ｄは皿状のラチェットリング４の外周壁４ｂの内周に形成されたクリック凹凸歯４ｃに係合される。
スプ−ル支持部材３の筒部３ｆ外周に皿状のラチェットリング４が嵌合され、ドラグ調節ツマミ８の回動操作で椀状のクリック係合子ホルダ−からなる押圧部材５がラチェットリング４に当接すると、内側底面４ｄに押圧面５ｂが載せられて制動部材Ａを押圧可能となる。
中心透孔５ｃの中にＯリングからなる弾性部材７が嵌合されて押圧部材５の回動に制動が掛けられてドラグ調節ツマミ８の連れ回りが防止される。
【００１８】
ナット部材６は筒部６ａと、鍔部６ｂと、筒部６ａ外周のネジ部６ｃと、鍔部６ｂの内側の凹部からなる開口部６ｄで形成されている。
ネジ部６ｃはスプ−ル２のネジ部２ｆに螺合されると共に筒部６ａの先端でＯリングからなる弾性シ−ル部材１４が押圧される。
ドラグ調節ツマミ８と椀状のクリック係合子ホルダ−からなる押圧部材５の間に挾み込まれた環状弾性シ−ル部材２０は、ナット部材６の開口部６ｄの縁部内周面に摺接されている。
【００１９】
ドラグ調節ツマミ８の表面にはツマミ操作部８ａが、裏面には筒部８ｂと数条の腕部８ｃが形成されて腕部８ｃの先端に鈎部８ｄが形成されている。
鈎部８ｄは椀状のクリック係合子ホルダ−からなる押圧部材５の透孔５ｅ、５ｆに係止されてドラグ調節ツマミ８と椀状のクリック係合子ホルダ−からなる押圧部材５が一体化されている。
筒部８ｂの内面には回り止め面８ｅが形成されてナット体２１に形成された回り止め面２１ｂが係合される。
ナット体２１と椀状のクリック係合子ホルダ−からなる押圧部材５の底面５ａの間には発条２２が挿入されている。
【００２０】
スプ−ル支持部材３の鍔部３ｃの外周には椀状のクリック係合子ホルダ−からなる押圧部材５と略同形の椀状のクリック係合子ホルダ−５′の中心透孔５ｈが回り止め嵌合され、椀状のクリック係合子ホルダ−５′の中にはクリック係合子９と略同形のクリック係合子９′が取り付けられている。
クリック係合子９′の山形傾斜部分９ｄはスプ−ル２のクリック凹凸歯２ｇに係合される。
【００２１】
スプ−ル軸からなる支持部材１の先端にスプ−ル２と、制動部材Ａと、ドラグ調節ツマミ８と一体化された椀状のクリック係合子ホルダ−からなる押圧部材５とが組み込まれる時は、スプ−ル軸からなる支持部材１の小径部１ｂ外周に筒状のスプ−ル支持部材３が嵌合されて透孔３ｄと透孔１ｄに係合ピン１７が挿入されると共にスプ−ル支持部材３の筒部３ｆの外周に軸受１９が嵌合され、筒部３ｆの先端外周にＯリングからなる弾性部材７が嵌合されて押圧部材５の回動に制動が掛けられてドラグ調節ツマミ８の連れ回りが防止される。
次にスプ−ル支持部材３の筒部３ｆの外周に制動部材Ａと、ドラグ調節ツマミ８と一体化されたが嵌合されてスプ−ル軸からなる支持部材１の先端のネジ部１ｃにドラグ調節ツマミ８の内側のナット体２１のナット部２１ａが螺合される。
【００２２】
前記のように制動部材Ａを収容するスプ−ル２の開口収容部２ｃより前側の凹部からなる開口部２ｅに取り付けられたナット部材６の、スプ−ル２の最前方部分に該当する凹部からなる開口部６ｄの縁部内周面と、ドラグ調節ツマミ８のツマミ操作部８ａの外周の後側でドラグ調節ツマミ８と椀状のクリック係合子ホルダ−からなる押圧部材５の間に挾み込まれた環状弾性シ−ル部材２０が摺接されるので、簡単な構造で水や砂等の制動部材Ａへの浸入が防止でき、効果的な防水が図れる。
且つ、スプ−ル軸からなる支持部材１の外側のスプ−ル支持部材３の筒部３ｆの先端外周と椀状のクリック係合子ホルダ−からなる押圧部材５の中心透孔５ｃの間にＯリングからなる弾性部材７が嵌合されているので、押圧部材５とドラグ調節ツマミ８の回動に適度の抵抗力を与えるから、釣糸が繰出される時にスプ−ル２が釣糸繰出し方向に回転されようとして環状弾性シ−ル部材２０の摩擦抵抗によるドラグ調節ツマミ８の連れ回りがＯリングからなる弾性部材７で防止される。
第１実施例ではスプ−ル軸からなる支持部材１とスプ−ル支持部材３が請求項１の支持部材となる。
【００２３】
前記環状弾性シ−ル部材２０はＯリング等他の形状の弾性シ−ル部材で構成してもよい。
前記説明では、スプ−ル軸からなる支持部材１の外周に取り付けられたスプ−ル支持部材３の筒部３ｆの先端外周にＯリングからなる弾性部材７を嵌合したが、スプ−ル軸からなる支持部材１の外周に直接嵌合して押圧部材５に適度の抵抗力を与えるように構成してもよい。
【００２４】
前記のように魚釣用スピニングリ−ルが構成されると、ドラグ機構内部への粉塵や水分の浸入を阻止する環状弾性シ−ル部材２０をスプ−ル２の開口収容部２ｃとドラグ調節ツマミ８との間に介在させたリ−ルにおける、ドラグ調節ツマミ８とスプ−ル軸からなる支持部材１との間に介在されたＯリングからなる弾性部材７が適度の抵抗力をドラグ調節ツマミ８に与えるので、ドラグ作動によるスプ−ル回転時に、環状弾性シ−ル部材２０の摩擦抵抗によるドラグ調節ツマミ８の連れ回りを防ぐことが出来る。
よって、ドラグ調節ツマミ８の節度を出すクリックのバネ力を必要以上に強くする必要が無くなり、クリック爪の当接部と爪車の凹凸を細かく出来るので、ドラグ調節ツマミ８の調節間隔を細分化して、ドラグ力を微調節することが可能となる。
また、クリック爪の当接部と爪車の凹凸を細かくすることで、ドラグ調節時のクリック音を最適な音量に調整し易くなる。
【実施例２】
【００２５】
図５は第２実施例で、図５はスプ−ル軸からなる支持部材とスプ−ル支持部材とドラグ調節ツマミと弾性シ−ル部材とクリック機構構成部品の拡大断面側面図である。
【００２６】
第２実施例では、椀状のクリック係合子ホルダ−からなる押圧部材５の中心透孔５ｃの孔縁に前向きに鈎部５ｉが形成されてこの鈎部５ｉに環状の弾性部材７′が取り付けられている。
弾性部材７′の内周はスプ−ル支持部材３の筒部３ｆの先端外周に嵌合されている。
他の構成は前記第１実施例と略同一である。
【００２７】
第２実施例のように魚釣用スピニングリ−ルが構成されると、ドラグ調節ツマミ８とスプ−ル軸からなる支持部材１との間に介在された環状の弾性部材７′が適度の抵抗力をドラグ調節ツマミ８に与えるので、ドラグ作動によるスプ−ル回転時に、環状弾性シ−ル部材２０の摩擦抵抗によるドラグ調節ツマミ８の連れ回りを防ぐことが出来る。
【実施例３】
【００２８】
図６は第３実施例で、図６はスプ−ル軸からなる支持部材とプ−ル支持部材とドラグ調節ツマミと弾性シ−ル部材とクリック機構構成部品の拡大断面側面図である。
【００２９】
第３実施例では、皿状のラチェットリング４の内側底面４ｄと椀状のクリック係合子ホルダ−からなる押圧部材５の底面５ａの外側の押圧面５ｂに夫々凹部４ｅ、５ｊが形成されて凹部４ｅ、５ｊにＯリングからなる弾性部材７″が嵌め込まれている。
他の構成は前記第１実施例と略同一である。
【００３０】
第３実施例のように魚釣用スピニングリ−ルが構成されると、ドラグ調節ツマミ８とスプ−ル軸からなる支持部材１との間に介在されたＯリングからなる弾性部材７″が適度の抵抗力をドラグ調節ツマミ８に与えるので、ドラグ作動によるスプ−ル回転時に、環状弾性シ−ル部材２０の摩擦抵抗によるドラグ調節ツマミ８の連れ回りを防ぐことが出来る。
第３実施例ではスプ−ル軸からなる支持部材１にスプ−ル支持部材３を介してかつスプ−ル支持部材３に回り止め嵌合された皿状のラチェットリング４が請求項１の支持部材となる。
【産業上の利用可能性】
【００３１】
釣糸巻取り駆動機構を備えた魚釣用リ−ルであれば、スピニングリ−ル、両軸受型リ−ル、片軸受型リ−ルを問わず本件構成を用いることが可能である。
【図面の簡単な説明】
【００３２】
【図１】第１実施例で、魚釣用スピニングリ−ルのスプ−ルとスプ−ル軸からなる支持部材の要部断面平面図である。
【図２】同スプ−ル軸からなる支持部材とスプ−ル支持部材とドラグ調節ツマミと弾性シ−ル部材とクリック機構構成部品の拡大断面側面図である。
【図３】同押圧部材の拡大平面図である。
【図４】同クリック係合子の拡大平面図である。
【図５】第２実施例で、スプ−ル軸からなる支持部材とスプ−ル支持部材とドラグ調節ツマミと弾性シ−ル部材とクリック機構構成部品の拡大断面側面図である。
【図６】第３実施例で、スプ−ル軸からなる支持部材とスプ−ル支持部材とドラグ調節ツマミと弾性シ−ル部材とクリック機構構成部品の拡大断面側面図である。
【符号の説明】
【００３３】
１、３、４  支持部材（スプ−ル軸、スプ−ル支持部材、皿状のラチェットリング）
２  スプ−ル
２ｃ  収容部
５  押圧部材
７、７′、７″  弾性部材
８  ドラグ調節ツマミ
２０  弾性シ−ル部材
Ａ  制動部材
【図１】
2005137240.tif 000003
【図２】
2005137240.tif 000004
【図３】
2005137240.tif 000005
【図４】
2005137240.tif 000006
【図５】
2005137240.tif 000007
【図６】
2005137240.tif 000008